(57)【要約】【課題】本体の首用開口部から本体の内側に水が浸入することをより確実に防止することができるウェットスーツを提供する。【解決手段】インナーネックは、着用位置に位置するときに、着用者の背中上部から胸部に亘って、着用者の首回りまたは肩を覆うように配置され、インナーネックの背面側端部が胴部の背面の外側に固定され、着用位置に位置するときに、インナーネックの正面側端部が胴部の正面の外側に接続可能であり、アウターネックは、着用位置に位置するときに、インナーネックの外側で、着用者の背中上部から胸部に亘って、着用者の首回りまたは肩を覆うように配置され、アウターネックの背面側端部が胴部の背面の外側に固定され、着用位置に位置するときに、アウターネックの正面側端部が胴部の正面の外側に接続可能である。【選択図】図５
2019049093.tif 000002
【特許請求の範囲】
【請求項１】
本体と、前記本体の内側に水が浸入することを防止するインナーネックと、前記本体の内側に水が浸入することを防止するアウターネックと、を備える、ウェットスーツであって、
前記本体は、着用位置に位置するときに、内側に着用者の胴体が位置する胴部を備え、  前記胴部は、着用位置に位置するときに、前記胴部の正面に着用者の胸部が位置し、前記胴部の背面に着用者の背中上部が位置し、
前記インナーネックは、着用位置に位置するときに、着用者の背中上部から胸部に亘って、着用者の首回りまたは肩を覆うように配置され、
前記インナーネックの背面側端部が前記胴部の背面の外側に固定され、
着用位置に位置するときに、前記インナーネックの正面側端部が前記胴部の正面の外側に接続可能であり、
前記アウターネックは、着用位置に位置するときに、前記インナーネックの外側で、着用者の背中上部から胸部に亘って、着用者の首回りまたは肩を覆うように配置され、
前記アウターネックの背面側端部が前記胴部の背面の外側に固定され、
着用位置に位置するときに、前記アウターネックの正面側端部が前記胴部の正面の外側に接続可能である、
ウェットスーツ。
【発明の詳細な説明】
【技術分野】
【０００１】
本発明は、ウェットスーツの技術に関する。
【背景技術】
【０００２】
従来、サーフィンおよびシュノーケリング等の種々のウォータースポーツにおいて着用されるウェットスーツの技術は公知となっている（特許文献１参照）。前記ウェットスーツは、本体と、ネック部材と、を備え、着用者の身体に密着するように伸縮性および弾力性に富む素材（例えばゴム素材等）で主に構成される。
【０００３】
前記ウェットスーツの本体は、着用者がウェットスーツを着用した状態では、本体の胴部内に着用者の胴体が位置し、腕部内に着用者の腕が位置し、足部内に着用者の足が位置し、首用開口部から外側に着用者の頭を突出させた状態となる。前記ウェットスーツのネック部材は、着用位置に位置するときに、着用者の背中上部から胸部に亘って配置されて、着用者の首回りまたは肩を覆うように配置され、本体の首用開口部から本体の内側に水が浸入することを防止する。
【先行技術文献】
【特許文献】
【０００４】
【特許文献１】特開２００８−１９５４８号公報
【発明の概要】
【発明が解決しようとする課題】
【０００５】
しかしながら、前記ウェットスーツでは、本体とネック部材との間に隙間が生じて、当該隙間からネック部材の内側に水が浸入し、本体の首用開口部から本体の内側に浸入してしまう場合がある。
【０００６】
本発明は、以上の如き状況に鑑みてなされたものであり、本体の首用開口部から本体の内側に水が浸入することをより確実に防止することができるウェットスーツを提供することを課題とする。
【課題を解決するための手段】
【０００７】
本発明の解決しようとする課題は以上の如くであり、次にこの課題を解決するための手段を説明する。
【０００８】
即ち、請求項１においては、本体と、前記本体の内側に水が浸入することを防止するインナーネックと、前記本体の内側に水が浸入することを防止するアウターネックと、を備える、ウェットスーツであって、前記本体は、着用位置に位置するときに、内側に着用者の胴体が位置する胴部を備え、前記胴部は、着用位置に位置するときに、前記胴部の正面に着用者の胸部が位置し、前記胴部の背面に着用者の背中上部が位置し、前記インナーネックは、着用位置に位置するときに、着用者の背中上部から胸部に亘って、着用者の首回りまたは肩を覆うように配置され、前記インナーネックの背面側端部が前記胴部の背面の外側に固定され、着用位置に位置するときに、前記インナーネックの正面側端部が前記胴部の正面の外側に接続可能であり、前記アウターネックは、着用位置に位置するときに、前記インナーネックの外側で、着用者の背中上部から胸部に亘って、着用者の首回りまたは肩を覆うように配置され、前記アウターネックの背面側端部が前記胴部の背面の外側に固定され、着用位置に位置するときに、前記アウターネックの正面側端部が前記胴部の正面の外側に接続可能であるものである。
【発明の効果】
【０００９】
本発明の効果として、以下に示すような効果を奏する。即ち、本発明によれば、本体の首用開口部から本体の内側に水が浸入することをより確実に防止することができる。
【図面の簡単な説明】
【００１０】
【図１】本発明の実施形態に係るウェットスーツの全体的な構成を示した正面図。
【図２】同じくウェットスーツの後方斜視図。
【図３】同じくウェットスーツの拡大正面図。
【図４】同じくウェットスーツの拡大正面図。
【図５】同じくウェットスーツの拡大正面図。
【図６】同じくウェットスーツの拡大正面図。
【図７】同じくウェットスーツの拡大断面図。
【発明を実施するための形態】
【００１１】
次に、本発明の実施形態に係るウェットスーツ１について、図１から図７を用いて説明する。
【００１２】
図１から図７に記載のウェットスーツ１は、サーフィンおよびシュノーケリング等の種々のウォータースポーツにおいて着用され、着用者の身体に密着するように伸縮性および弾力性に富む素材（例えばゴム素材等）で主に構成される。図１から図６に示すように、ウェットスーツ１は、本体２と、ネック部材３と、を備える。
【００１３】
本体２は、胴部２ａと、腕部２ｂと、足部２ｃと、首用開口部２ｄと、を備える。着用者がウェットスーツ１を着用した状態では、本体２の胴部２ａ内に着用者の胴体が位置し、腕部２ｂ内に着用者の腕が位置し、足部２ｃ内に着用者の足が位置し、首用開口部２ｄから外側に着用者の頭を突出させた状態となる。
【００１４】
ネック部材３は、本体２の首用開口部２ｄから本体２の内側に、水が浸入することを防止する。ネック部材３は、本体２の外側に配置される。ネック部材３は、着用位置に位置するときに、着用者の背中上部から胸部に亘って配置されて、着用者の首回りまたは肩を覆うように配置される。ネック部材３は、凸条部３ａを備える。ネック部材３の凸条部３ａは、筋状に構成される。ネック部材３の凸条部３ａは、凸条部３ａが配置される部分のネック部材３の厚みを厚く土手状に構成して、本体２の内側に水が浸入することを防止する。ネック部材３は、インナーネック１０とアウターネック２０とで構成される。
【００１５】
本体２は、インナーネック用固定部２ｅと、アウターネック用固定部２ｆと、を備える。本体２のインナーネック用固定部２ｅは、本体２の胴部２ａの正面（本体２の胴部２ａにおける着用者の胸部に相当する部分）に配置される。本体２のアウターネック用固定部２ｆは、本体２の胴部２ａの正面（本体２の胴部２ａにおける着用者の胸部に相当する部分）に配置される。本体２のアウターネック用固定部２ｆは、インナーネック用固定部２ｅの下方または外側に配置される。
【００１６】
インナーネック１０は、本体２の首用開口部２ｄから本体２の内側に、水が浸入することを防止する。インナーネック１０は、本体２の外側に配置される。インナーネック１０は、アウターネック２０の内側に配置される。インナーネック１０は、本体２の胴部２ａの背面（本体２の胴部２ａにおける着用者の肩甲骨付近に相当する部分）に固定される。インナーネック１０は、着用位置に位置するときに、着用者の背中上部から胸部に亘って配置されて、着用者の首回りまたは肩を覆うように配置される（図４参照）。インナーネック１０は、内側開口部１１と、内側固定部１２と、内側凸条部１３と、を備える。
【００１７】
インナーネック１０の内側開口部１１は、インナーネック１０の略中央部に形成される。インナーネック１０の内側開口部１１は、インナーネック１０が着用位置に位置しないときには、本体２の首用開口部２ｄよりも開口面積が小さく構成される。インナーネック１０の内側開口部１１は、着用者の頭が通過するとき（着用者が着用または脱衣するとき）に、伸長または拡張して開口面積が大きくなる。インナーネック１０の内側開口部１１は、着用者の頭が通過してインナーネック１０が着用位置に位置すると、収縮して開口面積が小さくなり着用者の首に密着する。
【００１８】
インナーネック１０の内側固定部１２は、インナーネック１０が本体２に固定される側と反対側の端部に配置される。インナーネック１０の内側固定部１２は、インナーネック１０が着用位置に位置するときに、正面側に位置する。インナーネック１０の内側固定部１２は、インナーネック１０が着用位置に位置するときに、本体２のインナーネック用固定部２ｅと接続可能に構成される。
【００１９】
インナーネック１０の内側凸条部１３は、ネック部材３の凸条部を構成する。インナーネック１０の内側凸条部１３は、インナーネック１０の裏面（内側の面）に設けられる。インナーネック１０の内側凸条部１３は、筋状に構成される。インナーネック１０の内側凸条部１３は、内側凸条部１３が配置される部分のインナーネック１０の厚みを厚く土手状に構成して、本体２の内側に水が浸入することを防止する。インナーネック１０の内側凸条部１３は、インナーネック１０の内側凸条部１３が配置されない他の部分よりもインナーネック１０の厚みを厚くする。インナーネック１０の内側凸条部１３が配置される部分の厚みは、他の部分と比べて約２倍〜３倍に構成される。インナーネック１０の内側凸条部１３は、インナーネック１０の他の部分の素材と同様に、着用者の身体に合わせて密着するように伸縮性および弾力性に富む素材（例えばゴム素材等）で構成される。
【００２０】
アウターネック２０は、本体２の首用開口部２ｄから本体２の内側に、水が浸入することを防止する。アウターネック２０は、本体２およびインナーネック１０の外側に配置される。アウターネック２０は、は、本体２の胴部２ａの背面（本体２の胴部２ａにおける着用者の肩甲骨付近に相当する部分）に固定される。アウターネック２０は、着用位置に位置するときに、着用者の背中上部から胸部に亘って配置されて、着用者の首回りまたは肩を覆うように配置される（図５参照）。アウターネック２０は、外側開口部２１と、外側固定部２２と、外側凸条部２３と、を備える。
【００２１】
アウターネック２０の外側開口部２１は、アウターネック２０の略中央部に形成される。アウターネック２０の外側開口部２１は、アウターネック２０が着用位置に位置しないときには、本体２の首用開口部２ｄよりも開口面積が小さく構成される。アウターネック２０の外側開口部２１は、着用者の頭が通過するとき（着用者が着用または脱衣するとき）に、伸長または拡張して開口面積が大きくなる。アウターネック２０の外側開口部２１は、着用者の頭が通過してアウターネック２０が着用位置に位置すると、収縮して開口面積が小さくなり着用者の首に密着する。
【００２２】
アウターネック２０の外側固定部２２は、アウターネック２０が本体２に固定される側と反対側の端部に配置される。アウターネック２０の外側固定部２２は、アウターネック２０が着用位置に位置するときに、正面側に位置する。アウターネック２０の外側固定部２２は、アウターネック２０が着用位置に位置するときに、本体２のアウターネック用固定部２ｆと接続可能に構成される。
【００２３】
アウターネック２０の外側凸条部２３は、ネック部材３の凸条部を構成する。アウターネック２０の外側凸条部２３は、アウターネック２０の裏面（内側の面）に設けられる。アウターネック２０の外側凸条部２３は、筋状に構成される。アウターネック２０の外側凸条部２３は、外側凸条部２３が配置される部分のアウターネック２０の厚みを厚く土手状に構成して、本体２の内側に水が浸入することを防止する。アウターネック２０の外側凸条部２３は、アウターネック２０の外側凸条部２３が配置されない他の部分よりもアウターネック２０の厚みを厚くする。アウターネック２０の外側凸条部２３が配置される部分の厚みは、他の部分と比べて約２倍〜３倍に構成される。アウターネック２０の外側凸条部２３は、アウターネッの他の部分の素材と同様に、着用者の身体に合わせて密着するように伸縮性および弾力性に富む素材（例えばゴム素材等）で構成される。
【００２４】
以上のように、インナーネック１０が内側凸条部１３（凸条部３ａ）を備える、ウェットスーツ１では、内側凸条部１３（凸条部３ａ）によってインナーネック１０（ネック部材３）の厚みを厚く土手状に構成して、本体２とインナーネック１０（ネック部材３）との間に隙間が生じにくいようにして、インナーネック１０の内側（内側凸条部１３よりも内側）に水が浸入することを防止する。したがって、ウェットスーツ１によれば、本体２の首用開口部２ｄから本体２の内側に水が浸入することをより確実に防止することができる。
【００２５】
以上のように、アウターネック２０が外側凸条部２３（凸条部３ａ）を備える、ウェットスーツ１では、外側凸条部２３（凸条部３ａ）によってアウターネック２０（ネック部材３）の厚みを厚く土手状に構成して、本体２とアウターネック２０（ネック部材３）との間に隙間が生じにくいようにして、アウターネック２０の内側（外側凸条部２３よりも内側）に水が浸入することを防止する。したがって、ウェットスーツ１によれば、本体２の首用開口部２ｄから本体２の内側に水が浸入することをより確実に防止することができる。
【００２６】
以上のように、インナーネック１０の内側凸条部１３が、伸縮性および弾力性に富む素材で構成される、ウェットスーツ１では、インナーネック１０が着用位置に位置するときに、内側凸条部１３が着用者の身体に合わせるようにして本体２に密着する。したがって、ウェットスーツ１によれば、本体２の首用開口部２ｄから本体２の内側に水が浸入することをより確実に防止することができる。
【００２７】
以上のように、アウターネック２０の外側凸条部２３が、伸縮性および弾力性に富む素材で構成される、ウェットスーツ１では、アウターネック２０が着用位置に位置するときに、外側凸条部２３が着用者の身体に合わせるようにして本体２に密着する。したがって、ウェットスーツ１によれば、本体２の首用開口部２ｄから本体２の内側に水が浸入することをより確実に防止することができる。
【００２８】
インナーネック１０の内側凸条部１３は、一対で構成される。インナーネック１０の内側凸条部１３は、内側開口部１１よりも左右外側に位置する。インナーネック１０の内側凸条部１３は、インナーネック１０の左右縁部に配置される。インナーネック１０の内側凸条部１３は、インナーネック１０における本体２の胴部２ａの背面に固定される部分の近傍からインナーネック１０の内側固定部１２（インナーネック１０における本体２の胴部２ａの背面に固定される部分と反対側の端部）の近傍に亘って配置される。インナーネック１０の内側凸条部１３は、インナーネック１０が着用位置に位置するときに、前後方向に沿って配置される。
【００２９】
以上のように、インナーネック１０の内側凸条部１３が、インナーネック１０が着用位置に位置するときに、前後方向に沿って配置される、ウェットスーツ１では、インナーネック１０が着用位置に位置するときに前後方向に沿って配置されることから、側方（着用者の肩側）からインナーネック１０内に水が浸入することを防止することができる。したがって、ウェットスーツ１によれば、本体２の首用開口部２ｄから本体２の内側に水が浸入することをより確実に防止することができる。
【００３０】
インナーネック１０の内側凸条部１３は、インナーネック１０が着用位置に位置するときに、本体２の首用開口部２ｄ（インナーネック１０の内側開口部１１）の近傍に配置される。インナーネック１０の内側凸条部１３は、インナーネック１０が着用位置に位置するときに、本体２の首用開口部２ｄよりも腕部２ｂ側（着用者の肩側）に位置する。インナーネック１０の内側凸条部１３は、インナーネック１０が着用位置に位置するときに、本体２の腕部２ｂよりも首用開口部２ｄ側（着用者の首側）に位置する。インナーネック１０の内側凸条部１３は、インナーネック１０が着用位置に位置するときに、着用者の肩甲骨と交差するように配置される。
【００３１】
以上のように、インナーネック１０の内側凸条部１３が、インナーネック１０が着用位置に位置するときに、本体２の腕部２ｂよりも首用開口部２ｄ側に位置する、ウェットスーツ１では、インナーネック１０が着衣位置に位置するときに本体２の腕部２ｂよりも首用開口部２ｄ側に位置することから、側方（着用者の肩側）からインナーネック１０内に水が浸入することを防止することができる。したがって、ウェットスーツ１によれば、本体２の首用開口部２ｄから本体２の内側に水が浸入することをより確実に防止することができる。
【００３２】
インナーネック１０は、本体２の外側に配置される。インナーネック１０の内側凸条部１３は、インナーネック１０内側（裏側）に配置される。インナーネック１０の内側凸条部１３は、インナーネック１０が着用位置に位置するときに、インナーネック１０の内面から本体２側に突出する。
【００３３】
以上のように、インナーネック１０が本体２の外側に配置され、インナーネック１０の内側凸条部１３が本体２側に突出する、ウェットスーツ１では、インナーネック１０が本体２の外側に配置され、インナーネック１０の内側凸条部１３が本体２側に突出することから、本体２の外側においてインナーネック１０内に水が浸入することを防止することができる。したがって、ウェットスーツ１によれば、インナーネック１０が本体２の内側に配置されるものに比べて、本体２の首用開口部２ｄから本体２の内側に水が浸入することをより確実に防止することができる。
【００３４】
インナーネック１０の内側固定部１２と本体２のインナーネック用固定部２ｅとは、スナップボタンで構成されて、インナーネック１０が着用位置に位置するときに、互いに接続可能に構成される。アウターネック２０の外側固定部２２と本体２のアウターネック用固定部２ｆとは、ファスナ（センファスナ）で構成されて、インナーネック１０が着用位置に位置するときに、互いに接続可能に構成される。
【００３５】
以上のように、アウターネック２０の外側固定部２２と本体２のアウターネック用固定部２ｆとは、ファスナ（センファスナ）で構成される、ウェットスーツ１では、アウターネック２０の外側固定部２２と本体２のアウターネック用固定部２ｆとはファスナで構成されることから、アウターネック２０の外側固定部２２と本体２のアウターネック用固定部２ｆとの接続部分からアウターネック２０内に水が浸入することを防止することができる。したがって、ウェットスーツ１によれば、アウターネック２０の外側固定部２２と本体２のアウターネック用固定部２ｆとがスナップボタンで構成されるものに比べて、本体２の首用開口部２ｄから本体２の内側に水が浸入することをより確実に防止することができる。
【００３６】
アウターネック２０の外側凸条部２３は、一対で構成される。アウターネック２０の外側凸条部２３は、内側開口部１１よりも左右外側に位置する。アウターネック２０の外側凸条部２３は、アウターネック２０の左右縁部に配置される。インナーネック１０における本体２の胴部２ａの背面に固定される部分の近傍からインナーネック１０の内側固定部１２（インナーネック１０における本体２の胴部２ａの背面に固定される部分と反対側の端部）の近傍に亘って配置される。アウターネック２０の外側凸条部２３は、アウターネック２０が着用位置に位置するときに、前後方向に沿って配置される。
【００３７】
以上のように、アウターネック２０の外側凸条部２３が、アウターネック２０が着用位置に位置するときに、前後方向に沿って配置される、ウェットスーツ１では、アウターネック２０が着用位置に位置するときに前後方向に沿って配置されることから、側方（着用者の肩側）からアウターネック２０内に水が浸入することを防止することができる。したがって、ウェットスーツ１によれば、本体２の首用開口部２ｄから本体２の内側に水が浸入することをより確実に防止することができる。
【００３８】
アウターネック２０の外側凸条部２３は、アウターネック２０が着用位置に位置するときに、本体２の首用開口部２ｄ（アウターネック２０の外側開口部２１）の近傍に配置される。アウターネック２０の外側凸条部２３は、アウターネック２０が着用位置に位置するときに、本体２の首用開口部２ｄよりも腕部２ｂ側（着用者の肩側）に位置する。アウターネック２０の外側凸条部２３は、アウターネック２０が着用位置に位置するときに、本体２の腕部２ｂよりも首用開口部２ｄ側（着用者の首側）に位置する。アウターネック２０の外側凸条部２３は、アウターネック２０が着用位置に位置するときに、着用者の肩甲骨と交差するように配置される。
【００３９】
以上のように、アウターネック２０の外側凸条部２３が、アウターネック２０が着用位置に位置するときに、本体２の腕部２ｂよりも首用開口部２ｄ側に位置する、ウェットスーツ１では、アウターネック２０が着用位置に位置するときに本体２の腕部２ｂよりも首用開口部２ｄ側に位置することから、側方（着用者の肩側）からアウターネック２０内に水が浸入することを防止することができる。したがって、ウェットスーツ１によれば、本体２の首用開口部２ｄから本体２の内側に水が浸入することをより確実に防止することができる。
【００４０】
アウターネック２０は、着用位置に位置するときに、本体２の外側においてインナーネック１０と重なるように構成される。アウターネック２０は、着用位置に位置するときに、本体２の外側においてインナーネック１０を覆うように構成される（図５参照）。
【００４１】
以上のように、アウターネック２０が、着用位置に位置するときに、本体２の外側においてインナーネック１０を覆うように構成される、ウェットスーツ１では、インナーネック１０の内側凸条部１３とアウターネック２０の外側凸条部２３との二重構造によって、アウターネック２０の内側またはインナーネック１０の内側に水が浸入することを防止する。したがって、ウェットスーツ１によれば、本体２の首用開口部２ｄから本体２の内側に水が浸入することをより確実に防止することができる。
【００４２】
インナーネック１０の内側凸条部１３は、インナーネック１０およびアウターネック２０が着用位置に位置するときに、アウターネック２０の外側凸条部２３よりも左右内側（本体２の首用開口部２ｄ側）に位置する（図６または図７参照）。アウターネック２０の外側凸条部２３は、インナーネック１０およびアウターネック２０が着用位置に位置するときに、インナーネック１０の内側凸条部１３よりも左右外側（本体２の腕部２ｂ側）に位置する。
【００４３】
以上のように、インナーネック１０の内側凸条部１３が、インナーネック１０およびアウターネック２０が着用位置に位置するときに、アウターネック２０の外側凸条部２３よりも左右内側（本体２の首用開口部２ｄ側）に位置する、ウェットスーツ１では、インナーネック１０の内側凸条部１３とアウターネック２０の外側凸条部２３との二重構造によって、側方（着用者の肩側）からアウターネック２０の内側またはインナーネック１０の内側に水が浸入することを防止する。したがって、ウェットスーツ１によれば、本体２の首用開口部２ｄから本体２の内側に水が浸入することをより確実に防止することができる。
【００４４】
インナーネック１０の内側凸条部１３とアウターネック２０の外側凸条部２３とは、インナーネック１０およびアウターネック２０が着用位置に位置するときに、互いに近接して配置される。インナーネック１０の内側凸条部１３とアウターネック２０の外側凸条部２３とは、インナーネック１０およびアウターネック２０が着用位置に位置するときに、左右に並んで配置される（図６または図７参照）。
【００４５】
以上のように、インナーネック１０の内側凸条部１３とアウターネック２０の外側凸条部２３とは、インナーネック１０およびアウターネック２０が着用位置に位置するときに、互いに近接して配置される、ウェットスーツ１では、インナーネック１０の内側凸条部１３とアウターネック２０の外側凸条部２３との二重構造によって、側方（着用者の肩側）からアウターネック２０の内側またはインナーネック１０の内側に水が浸入することをより確実に防止する。したがって、ウェットスーツ１によれば、本体２の首用開口部２ｄから本体２の内側に水が浸入することをより確実に防止することができる。
【００４６】
インナーネック１０またはアウターネック２０は、メンファスナーまたはスナップボタン等の固定手段を備えて、本体２（本体２の胴部２ａの背面側）に着脱可能に構成することもできる。
【００４７】
インナーネック１０の縁部を折返す（折返した状態で固定する）ことによって、インナーネック１０の厚みを厚くして内側凸条部１３を構成することもできる。アウターネック２０の縁部を折返す（折返した状態で固定する）ことによって、アウターネック２０の厚みを厚くして外側凸条部２３を構成することもできる。
【符号の説明】
【００４８】
１    ウェットスーツ
２    本体
２ｄ  首用開口部
３    ネック部材
３ａ  凸条部
１０  インナーネック
１１  内側開口部
１２  内側固定部
１３  内側凸条部
２０  アウターネック
２１  外側開口部
２２  外側固定部
２３  外側凸条部
【図１】
2019049093.tif 000003
【図２】
2019049093.tif 000004
【図３】
2019049093.tif 000005
【図４】
2019049093.tif 000006
【図５】
2019049093.tif 000007
【図６】
2019049093.tif 000008
【図７】
2019049093.tif 000009